(57)【特許請求の範囲】
【請求項１】
電池パックとＩＣカードとを装着可能な情報処理装置であって、
前記電池パックを収納する収納凹部を有する外嵌枠と、前記外嵌枠の一側壁から外方向に形成された平面上に設けられる、前記ＩＣカードを挿抜するカード格納スロットと、
前記カード格納スロットが設けられた前記平面の裏側に支持され、前記カード格納スロットに挿入された前記ＩＣカードを係止する翼形の係止部材とを備え、
前記電池パックが前記外嵌枠の収納凹部に装着された状態で、前記係止部材の翼部の一端部が、前記外嵌枠の一側壁に設けられた第１の開口部を介して、前記外嵌枠の収納凹部に装着された前記電池パックの一端縁に当接して拘束されるとともに、前記係止部材の他端部に形成された係止突起が、前記外嵌枠の一側壁の周縁の前記平面に設けられた第２の開口部から突出して前記ＩＣカードが係止されることを特徴とする情報処理装置。
【請求項２】
前記電池パックが前記外嵌枠の収納凹部から離脱された状態で、前記係止部材の一端部が前記第１の開口部から突出して前記係止部材の係止突起が第２の開口部から後退して前記ＩＣカードを解放させることを特徴とする請求項１に記載の情報処理装置。
【請求項３】
前記係止部材は、前記係止部材を所要の角度で回転自在とする回転軸をさらに有し、この回転軸の両端は前記平面の裏側に設けられた挟持部にて挟持されたことを特徴とする請求項１に記載の情報処理装置。
【請求項４】
前記電池パックが前記外嵌枠の収納凹部に装着された状態で、前記係止部材の翼部の一端部が前記第１の開口部を介して前記電池パックに係合して、前記係止部材が回転軸回りに所要の角度回転し、前記係止部材の翼部の他端部で前記ＩＣカードを係止したことを特徴とする請求項３に記載の情報処理装置。
【請求項５】
前記電池パックが前記外嵌枠の収納凹部から離脱された状態で、前記係止部材の翼部の一端部が前記第１の開口部から突出するまで、前記係止部材が回転軸回りに所要の角度回転し、前記係止部材の他端部を第２の開口部から後退させて前記ＩＣカードを解放させたことを特徴とする請求項２に記載の情報処理装置。
【発明の詳細な説明】
【技術分野】
【０００１】
本発明は情報処理装置に係り、特に、ＳＩＭカードやＵＳＩＭカードなどに代表されるＩＣカードが挿抜可能な情報処理装置に関する。
【背景技術】
【０００２】
近年、情報処理装置としての携帯電話機には、単なる音声通話による通信機能だけでなく、アドレス帳機能、カメラ機能、基地局やインターネットなどのネットワークを介したメール機能や、Ｗｅｂページなどを閲覧することが可能なブラウザ機能などの種々の機能が搭載されるようになってきている。
【０００３】
また、ユーザによっては、外国に旅行や出張に行った場合であっても、いつもと同じ携帯電話機を使用したいという要望をもつユーザも存在することから、通信事業者がサービスを提供している地域の範囲外で別の通信事業者と契約してサービスを提供する「ローミング」という方式が提案されている。この方式を実現するために、「ＳＩＭ（Subscriber Identity Module）カード」や「ＵＳＩＭ（Universal Subscriber Identity Module）カード」と呼ばれる契約者識別カードが用いられる。
【０００４】
これらのカードには契約している通信事業者や電話番号などのＩＤが記録されたＩＣチップが内蔵されており、これらのカードを元の携帯電話機から抜き出した後、使用する携帯電話機に設けられた専用スロットに挿入することで、いつもの電話番号で着信したり、電話帳などの個人情報をそのまま利用することができる。
【０００５】
ところで、このＳＩＭカードやＵＳＩＭカードを挿抜するための専用スロットは、電池パック近傍に設けられることが一般的であるが、これらのカードには種々の個人情報が含まれていることから、電池パック装着時において特に、挿入されたこれらのカードが意図せずに抜け落ちてしまうことを防止する必要がある。
【０００６】
そこで、ＳＩＭカードやＵＳＩＭカードの抜け落ち防止に関する技術として、特開２００５−１５９６３８号公報に記載されている技術が知られている（特許文献１参照）。
【特許文献１】特開２００５−１５９６３８号公報
【発明の開示】
【発明が解決しようとする課題】
【０００７】
しかしながら、近年、よりコンパクトで、より薄型の携帯電話機がユーザから要望されているため、ただ単に電池パック装着時にＳＩＭカードやＵＳＩＭカードが抜け落ちない構造とするだけでは十分ではなく、より薄型の携帯電話機に適用することが可能なように、ＳＩＭカードやＵＳＩＭカードを係止させるストッパー（係止部材）の構造が携帯電話機本体の厚みに影響を受けない構造とする必要があった。このような課題は、特許文献１に提案されている技術では解決することはできない。
【０００８】
本発明は、このような状況に鑑みてなされたものであり、筐体の厚みの薄型化を図りつつ、ＳＩＭカードやＵＳＩＭカードなどのＩＣカードの抜け落ちを好適に防止することができる情報処理装置を提供することを目的とする。
【課題を解決するための手段】
【０００９】
本発明の情報処理装置は、上述した課題を解決するために、電池パックとＩＣカードとを装着可能な情報処理装置であって、電池パックを収納する収納凹部を有する外嵌枠と、外嵌枠の一側壁から外方向に形成された平面上に設けられる、ＩＣカードを挿抜するためのカード格納スロットと、カード格納スロットが設けられた平面の裏側に支持され、カード格納スロットに挿入されたＩＣカードを係止する翼形の係止部材とを備え、電池パックが外嵌枠の収納凹部に装着された状態で、係止部材の翼部の一端部が、外嵌枠の一側壁に設けられた第１の開口部を介して、外嵌枠の収納凹部に装着された電池パックの一端縁に当接して拘束されるとともに、係止部材の他端部に形成された係止突起が、外嵌枠の一側壁の周縁の平面に設けられた第２の開口部から突出してＩＣカードが係止されることを特徴とする。
【発明の効果】
【００１０】
本発明によれば、筐体の厚みの薄型化を図りつつ、ＳＩＭカードやＵＳＩＭカードなどのＩＣカードの抜け落ちを好適に防止することができる。
【発明を実施するための最良の形態】
【００１１】
以下、本発明の実施の形態について、図面を参照しながら説明する。
【００１２】
図１は、本発明に係る情報処理装置に適用可能な携帯電話機１の筐体１１の平面図を表している。なお、図１は、携帯電話機１の図示せぬ電池蓋と電池パック（図２の電池パック１７）が取り外され、かつ、ＵＳＩＭカード１４が専用カード格納スロット１６に挿入されている状態を示している。なお、本発明の実施形態においては、ＵＳＩＭカード１４について明示的に記載するが、勿論、ＳＩＭカードの他のＩＣカードを用いる場合について本発明を適用するようにしてもよい。
【００１３】
図１に示されるように、携帯電話機１の筐体１１には、収納凹部１２を有する外嵌枠１３が設けられており、この外嵌枠１３の収納凹部１２には、平板状の電池パック１７が必要に応じて嵌挿されて装着される。この外嵌枠１３の一側壁からほぼ直交する外方向に、一側壁頂部と面一にほぼ水平な平面Ｓが形成される。この水平な平面Ｓ上には、ＵＳＩＭカード１４を挿抜するための専用カード格納スロット１６が設けられている。外嵌枠１３の一側壁と、専用カード格納スロット１６に挿入されたＵＳＩＭカード１４との間には、電池パック１７の装着（嵌着）時にＵＳＩＭカード１４を係止させるための係止部材１５がロック手段として配置される。
【００１４】
図２（Ａ）は、本発明に係る携帯電話機１の筐体１１の斜視図である。図２（Ａ）に示されるように、ユーザが携帯電話機１の筐体１１に電池パック１７を装着させる場合、外嵌枠１３の収納凹部１２に矢印の方向に装着させる。また、図２（Ｂ）は、図２（Ａ）に示される携帯電話機１の筐体１１における領域Ｐの拡大図である。図２（Ｂ）に示されるように、電池パック１７が外嵌枠１３の収納凹部１２に装着されると、専用カード格納スロット１６に挿入されたＵＳＩＭカード１４の近傍に存在するロック手段の係止部材１５の係止突起が突出する。これにより、電池パック１７の装着時に、ＵＳＩＭカード１４が係止される。なお、図２（Ｂ）の矢印Ｎの方向は、ＵＳＩＭカード１４の抜き出し方向を示している。
【００１５】
次に、電池パック１７の装着時および離脱（取り出し）時における係止部材１５の動作について説明するが、その前提として、ロック手段を構成する係止部材１５を携帯電話機１の筐体１１に支持させる際の支持方法について説明する。
【００１６】
図３（Ａ）乃至（Ｃ）は、係止部材１５の、携帯電話機１の筐体１１への支持方法を説明する説明図である。図３（Ａ）に示されるように、ＵＳＩＭカード１４を係止するロック手段の係止部材１５は、例えば樹脂などにより成形された翼部を有する翼形の樹脂部材であり、全体としてほぼＳ字型あるいはクランク型の形状を有している。また、係止部材１５の重心は、係止部材１５の剛心から予め所定の偏心率で偏心されている。係止部材１５には、矢印Ｘ方向に所要の角度で回転自在にする回転軸１８が設けられている。また、係止部材１５のほぼＳ字型あるいはクランク型の形状の翼部の一端部には、ほぼ矩形状の矩形突起１９が設けられる一方、係止部材１５の翼部の他端部には、ＵＳＩＭカードの背側（挿入末端側）を係止する係止突起２０がストッパとして設けられている。
【００１７】
一方、携帯電話機１の筐体１１に形成される平面Ｓの所定の位置には、電池パック１７の装着時に係止部材１５の翼部の他端部に設けられた係止突起２０を突出させることが可能な開口部Ｑが設けられている。また、携帯電話機１の筐体１１の外嵌枠１３の一側壁には、外嵌枠１３の収納凹部１２に電池パック１７が装着された際に、電池パック１７の一端縁と、係止部材１５の翼部の一端部に設けられた矩形（係合）突起１９とが当接可能な開口部Ｒが設けられている。
【００１８】
そして、この係止部材１５を携帯電話機１の筐体１１に支持させる際には、係止部材１５は、携帯電話機１の筐体１１の平面Ｓの裏側（背面側）に、図３（Ａ）の矢印Ｙの方向から挿入される。
【００１９】
図３（Ｂ）を参照して、係止部材１５を携帯電話機１の筐体１１に支持させる際に、平面Ｓの裏側から見た場合について説明する。図３（Ｂ）に示されるように、携帯電話機１の筐体１１の平面Ｓの裏側には、係止部材１５の回転軸（耳軸）１８の両端を外嵌枠１３の背面側との間で挟持して回転可能に支持する挟持部２１−１乃至２１−２が設けられるとともに、挟持後の回転軸（耳軸）１８の両端を抑え付ける受け部（係合突起部）２２−１乃至２２−２が設けられている。
【００２０】
そして、係止部材１５が、携帯電話機１の筐体１１の平面Ｓの裏側（背面側）に図３（Ｂ）の矢印Ｚの方向から挿入される際には、携帯電話機１の筐体１１に設けられた開口部Ｑに係止部材１５の係止突起２０が所定の量だけ挿入される。なお、開口部Ｑに係止部材１５の係止突起２０が挿入されたとき、多少のクリアランスが生じるように開口部Ｑが設定される。また、筐体１１の平面Ｓには、ＵＳＩＭカード１４のスライド抵抗が小さくなるように接続して案内する複数条の突条ガイド２３が設けられる。図３（Ｃ）は、この係止部材１５を携帯電話機１の筐体１１に支持させたときの支持後の係止部材１５の斜視図である。図３（Ｃ）に示されるように、支持後の係止部材１５は、電池パック１７の装着時または離脱時に応じて、所要の角度で回転軸１８を中心にして矢印Ｘ方向に回転可能である。なお、図３（Ｃ）の係止部材１５の斜視図は、電池パック１７の装着時での係止部材１５の様子を示している。
【００２１】
次に、図４を参照して、電池パック１７の装着時および離脱（取り出し）時における係止部材１５の動作について説明する。なお、図４は、図２（Ｂ）におけるＭ−Ｍ´線上の断面図を表わしている。図４（Ａ）は、電池パック１７の離脱時での、図２（Ｂ）におけるＭ−Ｍ´線上の断面図を表わしており、図４（Ｂ）は、電池パック１７の装着時での、図２（Ｂ）におけるＭ−Ｍ´線上の断面図を表わしている。
【００２２】
図４（Ａ）に示されるように、携帯電話機１の外嵌枠１３の収納凹部１２に電池パック１７が装着された状態から、ユーザによって電池パック１７が離脱されると（取り出されると）、電池パック装着時に係止部材１５の矩形突起１９に当接されていた電池パック１７が取り出されることから、係止部材１５は、係止部材１５の偏心により、自重に従って回転軸１８を中心にして図４（Ａ）の矢印Ｘａ方向に所要の角度で回転する。この回転動作に伴って、係止部材１５の他端側の係止突起２０は、平面Ｓに設けられた開口部Ｑから突出された状態から、開口部Ｑから突出されない後退状態に移行する。これにより、専用カード格納スロット１６に挿入されたＵＳＩＭカードの係止状態が解除され、解放される。これにより、ユーザは、以後ＵＳＩＭカード１４を図４（Ａ）の矢印Ｎの方向に抜き出すことができる。
【００２３】
一方、図４（Ｂ）に示されるように、携帯電話機１の外嵌枠１３の収納凹部１２に電池パック１７が離脱された状態から、ユーザによって電池パック１７が図４（Ｂ）の矢印Ｆの方向から装着されると、係止部材１５の矩形突起１９が、ユーザによって装着される電池パック１７に押圧されることで係止部材１５の回転軸１８回りのトルクが発生し、係止部材１５は、回転軸１８を中心にして図４（Ｂ）の矢印Ｘｂ方向に所要の角度で回転する。係止部材１５の矩形突起１９は、ユーザによって装着される電池パック１７の一端縁に当接する。この動作に伴って、係止部材１５の他端部に設けられた係止突起２０は、平面Ｓに設けられた開口部Ｑから突出されない解放状態から、開口部Ｑから所定の量だけ（ＵＳＩＭカード１４を係止できる程度の量だけ）突出される状態に移行する。これにより、専用カード格納スロット１６に挿入されたＵＳＩＭカードの係止状態（ロック状態）が開始され、以後、ＵＳＩＭカード１４が意図せずに抜けることを防止することができる。
【００２４】
本発明の実施形態においては、平板状の電池パック１７と、電池パック１７を収納する収納凹部１２を有する外嵌枠１３と、外嵌枠１３の一側壁から外方向に形成された平面Ｓ上に設けられる、ＵＳＩＭカード１４を挿抜するためのカード格納スロット１６と、カード格納スロット１６が設けられた平面Ｓの裏側に支持され、カード格納スロット１６に挿入されたＵＳＩＭカード１４を係止する翼形の係止部材１５とを備え、電池パック１７が外嵌枠１３の収納凹部１２に装着された状態で、係止部材１５の翼部の一端部が、外嵌枠１３の一側壁に設けられた開口部Ｒを介して、外嵌枠１３の収納凹部１２に装着された電池パック１７に当接して拘束されるとともに、係止部材１５の翼部の他端部に形成された係止突起２０が、外嵌枠１３の一側壁の周縁の平面Ｓに設けられた開口部Ｑから突出してＵＳＩＭカード１４が係止される一方、電池パック１７が外嵌枠１３の収納凹部１２から離脱された状態で、係止部材１５の一端が開口部Ｒから突出して係止部材の係止突起が開口部Ｑから後退してＵＳＩＭカード１４を解放させるように構成することができる。
【００２５】
これにより、ＵＳＩＭカード１４（ＳＩＭカードやＵＳＩＭカード）が挿抜される専用カード格納スロット１６が、携帯電話機１の筐体の薄型化に伴って電池パック１７の位置よりも上に設けられたり、電池パックと離れた位置に設けられた場合であっても、ＳＩＭカードやＵＳＩＭカード１４を好適に係止することができる。従って、携帯電話機１の筐体の厚みの薄型化を図りつつ、ＳＩＭカードやＵＳＩＭカードの意図せぬ抜け落ちなどを好適に防止することができる。その結果、ＳＩＭカードやＵＳＩＭカードに記録された個人情報の保護を好適に図ることができるとともに、ＳＩＭカードやＵＳＩＭカードを使用する際の利便性を向上させることができる。
【００２６】
なお、本発明の実施形態においては、ＵＳＩＭカード１４などを係止させる係止部材１５を樹脂部材などにより構成するようにしたが、例えば樹脂部材とともに板バネやスプリングなどを用いて係止部材１５を構成するようにしてもよい。
【００２７】
なお、本発明は、スライド式、ストレート式や折り畳み式などの種々のスタイルの携帯電話機に適用することができる。
【００２８】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【図面の簡単な説明】
【００２９】
【図１】本発明に係る携帯電話機の筐体の平面図を示す図。
【図２】（Ａ）は、本発明に係る携帯電話機の筐体の斜視図であり、図２（Ｂ）は、図２（Ａ）に示される携帯電話機の筐体における領域Ｐの拡大図。
【図３】（Ａ）乃至（Ｃ）は、携帯電話機の筐体への係止部材の支持方法を説明する説明図。
【図４】（Ａ）は、電池パックの離脱時での、図２（Ｂ）におけるＭ−Ｍ´線上の断面図を示す図であり、図４（Ｂ）は、電池パックの装着時での、図２（Ｂ）におけるＭ−Ｍ´線上の断面図を示す図。
【符号の説明】
【００３０】
１…携帯電話機、１１…筐体、１２…収納凹部、１３…外嵌枠、１４…ＵＳＩＭカード、１５…係止部材、１６…専用カード格納スロット、１７…電池パック、１８…回転軸、１９…矩形突起、２０…係止突起、２１（２１−１乃至２１−２）…挟持部、２２（２２−１乃至２２−２）…受け部、２３…突条ガイド。
【図１】
0004846692.tif 000002
【図２】
0004846692.tif 000003
【図３】
0004846692.tif 000004
【図４】
0004846692.tif 000005